(57)【要約】【解決手段】  本発明は、周波数選択スケジューリング方法及び装置を提供する。当該方法は、予め設定される時間及び予め設定される粒度に応じて、基地局側でのサウンディング基準信号又はデジタル変調基準信号の受信パワーを測定し、測定情報を取得するステップと、取得された測定情報が使用可能であるかどうかを判定し、判定結果が「はい」である場合、ユーザ装置をスケジューリングするためのリソースブロック割り当てタイプに応じて、測定情報に対して、等価処理を行い、等価処理された測定情報を用いてユーザ装置に対して、周波数選択リソース割り当てを行うステップとを含む。本発明に係る方法及び装置によれば、受信側での送信データの復調精度を大幅に向上させ、システム性能を効果的に向上させる。【選択図】図１
2013513977.tif 000002
【特許請求の範囲】
【請求項１】
周波数選択スケジューリング方法であって、
予め設定される時間及び予め設定される粒度に応じて、基地局側でのサウンディング基準信号又はデジタル変調基準信号の受信パワーを測定し、測定情報を取得するステップと、
取得された前記測定情報が使用可能であるかどうかを判定し、判定結果が、「はい」である場合、ユーザ装置をスケジューリングするためのリソースブロックの割り当てタイプに応じて、前記測定情報に対して、等価処理を行い、そして等価処理を完了する前記測定情報を用いて、前記ユーザ装置に対して、周波数選択リソース割り当てを行うステップとを含むことを特徴とする周波数選択スケジューリング方法。
【請求項２】
前記測定情報が使用可能であるかどうかを判定する前に、前記方法は、
前記測定情報に対して、正規化処理を行うステップを更に含むことを特徴とする
請求項１に記載の方法。
【請求項３】
前記測定情報には、周波数領域の開始位置及び情報取得時間が含まれることを特徴とする
請求項１に記載の方法。
【請求項４】
前記測定情報が使用可能であるかどうかを判定するプロセスは、
前記情報取得時間に応じて、前記測定情報が適時性規定に合致するかどうかを判定することと、
前記測定情報が適時性規定に合致する場合、前記測定情報に対応する帯域幅が前記ユーザ装置に割り当てられて得られた実際のリソース数の予め設定される割合以上であるかどうかを判定し続け、判定結果が、予め設定される割合以上である場合、前記測定情報が使用可能であることを確定することとを含むことを特徴とする
請求項３に記載の方法。
【請求項５】
前記ユーザ装置のリソースブロックの割り当てタイプは、選択可能であり、前記リソースブロック割り当てタイプは、Ｔｙｐｅ０、Ｔｙｐｅ１、ＬＶＲＢ、ＤＶＲＢの少なくとも１つを含み、
前記等価処理のプロセスは、
前記リソースブロックの割り当てタイプが、Ｔｙｐｅ０又はＴｙｐｅ１である場合、リソースブロックグループの粒度の方式に従って、等価処理を行うことと、
前記リソースブロックの割り当てタイプが、ＬＶＲＢ又はＤＶＲＢである場合、単一のリソースブロックを最小粒度とする方式に従って、等価処理を行うこととを含むことを特徴とする
請求項１〜４のいずれか１項に記載の方法。
【請求項６】
前記周波数選択リソース割り当てのプロセスは、
前記受信パワーの大きさに従って、前記測定情報を順位付けし、順位付けする結果における最大順位の測定情報に対応する周波数領域位置を優先的に前記ユーザ装置に割り当てることを含むことを特徴とする
請求項５に記載の方法。
【請求項７】
周波数選択スケジューリング装置であって、
予め設定される時間及び予め設定される粒度に応じて、基地局側でのサウンディング基準信号又はデジタル変調基準信号の受信パワーを測定し、測定情報を取得することに用いられる測定モジュールと、
前記測定モジュールによって取得された測定情報が使用可能であるかどうかを判定することに用いられる判定モジュールと、
前記判定モジュールの判定結果が使用可能である場合、ユーザ装置をスケジューリングするためのリソースブロックの割り当てタイプに応じて、前記測定情報に対して、等価処理を行うことに用いられる等価処理モジュールと、
前記等価処理モジュールによって等価処理を完了させる前記測定情報を用いて、前記ユーザ装置に対して、周波数選択リソース割り当てを行うことに用いられる周波数選択リソース割り当て応用モジュールとを含むことを特徴とする周波数選択スケジューリング装置。
【請求項８】
当該装置は
前記測定モジュールと前記判定モジュールとそれぞれ接続し、前記測定モジュールによって測定されて取得された測定情報に対して、正規化処理を行い、そして前記判定モジュールが正規化処理された測定情報をスケジュールすることに供することに用いられる正規化処理モジュールを更に含むことを特徴とする
請求項７に記載の装置。
【請求項９】
前記測定情報には、周波数領域の開始位置及び情報取得時間が含まれ、
前記判定モジュールは、
前記情報取得時間に応じて、前記測定情報が適時性規定に合致するかどうかを判定することに用いられる第１の判定モジュールと、
前記第１の判定モジュールの判定結果が「はい」である場合、前記測定情報に対応する帯域幅が前記ユーザ装置に割り当てられて得られた実際のリソース数の予め設定される割合以上であるかどうかを判定し続けることに用いられる第２の判定モジュールとを含むことを特徴とする
請求項７又は８に記載の装置。
【請求項１０】
前記ユーザ装置のリソースブロックの割り当てタイプは、選択可能であり、前記リソースブロックの割り当てタイプは、Ｔｙｐｅ０、Ｔｙｐｅ１、ＬＶＲＢ、ＤＶＲＢの少なくとも１つを含み、
前記等価処理モジュールは、
前記リソースブロックの割り当てタイプがＴｙｐｅ０又はＴｙｐｅ１である場合、リソースブロックグループの粒度の方式に従って、等価処理を行うことに用いられる第１の等価処理モジュールと、
前記リソースブロックの割り当てタイプがＬＶＲＢ又はＤＶＲＢである場合、単一のリソースブロックを最小粒度とする方式に従って、等価処理を行うことに用いられる第２の等価処理モジュールとを含むことを特徴とする
請求項７又は８に記載の装置。
【請求項１１】
前記周波数選択リソース割り当て応用モジュールは、
前記受信パワーの大きさに従って、前記測定情報を順位付けすることに用いられる順位付けモジュールと、
前記順位付けモジュールの順位付けする結果における最大順位の測定情報に対応する周波数領域位置を優先的に前記ユーザ装置に割り当てることに用いられる割り当てモジュールとを含むことを特徴とする
請求項７又は８に記載の装置。
【発明の詳細な説明】
【技術分野】
【０００１】
本発明は、通信分野に関し、特に、周波数選択スケジューリング方法及び装置に関する。
【背景技術】
【０００２】
ロング・ターム・エボリューション（Ｌｏｎｇ  Ｔｅｒｍ  Ｅｖｏｌｕｔｉｏｎ：ＬＴＥ）の時分割複信（Ｔｉｍｅ  Ｄｉｖｉｓｉｏｎ  Ｄｕａｌ：ＴＤＤ）システムにおいて、一般的に、アップリンク／ダウンリンクチャネルに、対称性及び互恵性が存在すると考慮されている。現在、チャネル対称性の１つの応用は、アップリンクで取得されたチャネルＨによって、ダウンリンクビーム形成の重み値を推定することである。もう１つの応用は、サウンディング基準信号（Ｓｏｕｎｄｉｎｇ  Ｒｅｆｅｒｅｎｃｅ  Ｓｉｇｎａｌ：ＳＲＳ）の信号対干渉雑音比（Ｓｉｇｎａｌ  ｔｏ  Ｉｎｔｅｒｆｅｒｅｎｃｅ  ｐｌｕｓ  Ｎｏｉｓｅ  Ｒａｔｉｏ：ＳＩＮＲ）情報を利用することで、ダウンリンクチャネルのＳＩＮＲ値を推定することであり、当該方法では、ユーザ装置（ＵＥ）側が、ダウンリンクチャネルの干渉レベルを測定する必要があり、その後、ＳＲＳの送信パワーに、ＵＥ側によって受信された干渉パワーの逆数を掛け、これによって、アップリンクＳＲＳによって基地局（ｅＮｏｄｅＢ）側で測定されたＳＩＮＲ情報とダウンリンクチャネルステータスによって測定されたＳＩＮＲとの間に、一定の線形関係が存在し、このような方法の欠陥は、プロトコルＳＲＳ送信パワーの数式が、修正される必要があることであり、これによって、この方法は、採用されることができない。且つ、ダウンリンクチャネル品質は、ダウンリンクチャネルに依存することだけではない、ＵＥ側によって受信された干渉及びノイズに依存する。アップリンクチャネル品質も、アップリンクチャネルに依存することだけではない、基地局側によって受信された干渉及びノイズに依存する。しかしながら、ＴＤＤシステムに対して、アップリンク及びダウンリンクチャネルに、互恵性が存在するが、ノイズ及び干渉に、この特性が存在しない。これによって、アップリンク測定によって取得されたＳＩＮＲ情報を直接に用いてダウンリンクのＳＩＮＲ情報を推定する場合、大きなオフセットが存在する。
【０００３】
現在のダウンリンクスケジューリングが、ＵＥ側によってフィードバックされたランクインジケータ（Ｒａｎｋ  Ｉｎｄｉｃａｔｏｒ：ＲＩ）、プレコーディングマトリクスインジケータ（Ｐｒｅｃｏｄｉｎｇ  Ｍａｔｒｉｘ  Ｉｎｄｉｃａｔｏｒ：ＰＭＩ）及びチャネル品質インジケータ（Ｃｈａｎｎｅｌ  Ｑｕａｌｉｔｙ  Ｉｎｄｉｃａｔｏｒ：ＣＱＩ）などのチャネルステータスインジケータに応じて、実行されるスケジューリングであり、このような方法には、現在のサブフレームスケジューリングによって参照されるチャネルステータスは、この前のＮ（処理時間遅延及びアップリング／ダウンリンク割合などによって決定される）時刻でのダウンリンクサブフレームによってＵＥ側で測定されたダウンリンクチャネルステータスであり、その後、ｅＮｏｄｅＢに利用されるようにＵＥ側により報告され、ダウンリンクスケジューリングに対する最終決定権がｅＮｏｄｅＢであるという問題が存在する。ＣＱＩ測定及び報告の時間遅延、及びフィードバック頻度制限のため、ＣＱＩ報告のリアルタイム性と正確性を低減させることをもたらす。特に、帯域幅ＣＱＩ報告に依存する非周波数選択スケジューリングに対して、帯域幅の平均のチャネルステータスのみを取得できるが、一部の帯域幅のチャネルステータス又はサブバンド間のチャネルステータスの相対関係を取得できない。ＬＴＥシステムの帯域幅がより大きい場合、帯域幅ＣＱＩは、チャネルの周波数選択特性を反映できない、これによって、リソースの割り当てには、一定の盲目性が存在し、システムの性能に影響を与える。
【０００４】
上記ように、従来技術において、帯域幅ＣＱＩのスケジューリングにおける大きすぎるＣＱＩ時間遅延によって引き起こされた不正確及び周波数選択情報不足の問題が長い間に存在するため、改良の技術手段を提案してこの問題を解決する必要がある。
【発明の概要】
【発明が解決しようとする課題】
【０００５】
本発明の主な目的は、従来技術において、帯域幅ＣＱＩのスケジューリングにおける大きすぎるフィードバック時間遅延による不正確及び周波数選択情報不足の問題を解決するために、周波数選択スケジューリング方法及び装置を提供することにある。
【課題を解決するための手段】
【０００６】
上記問題を解決するために、本発明の技術方案は、以下のように実現される。
周波数選択スケジューリング方法であって、
予め設定される時間及び予め設定される粒度に応じて、基地局側でのサウンディング基準信号又はデジタル変調基準信号の受信パワーを測定し、測定情報を取得するステップと、
取得された前記測定情報が使用可能であるかどうかを判定し、判定結果が、「はい」である場合、ユーザ装置をスケジューリングするためのリソースブロックの割り当てタイプに応じて、前記測定情報に対して、等価処理を行い、そして等価処理を完了する前記測定情報を用いて、前記ユーザ装置に対して、周波数選択リソース割り当てを行うステップとを含む。
【０００７】
前記測定情報が使用可能であるかどうかを判定する前に、前記方法は
前記測定情報に対して、正規化処理を行うステップを更に含む。
【０００８】
前記特定情報には、周波数領域の開始位置及び情報取得時間が含まれる。
前記測定情報が使用可能であるかどうかを判定するプロセスは、
前記情報取得時間に応じて、前記測定情報が適時性規定に合致するかどうかを判定することと、
前記測定情報が適時性規定に合致する場合、前記測定情報に対応する帯域幅が前記ユーザ装置に割り当てられて得られた実際のリソース数の予め設定される割合以上であるかどうかを判定し続け、判定結果が、予め設定される割合以上である場合、前記測定情報が使用可能であることを確定することとを含む。
【０００９】
前記ユーザ装置のリソースブロックの割り当てタイプは、選択可能であり、前記リソースブロックの割り当てタイプは、Ｔｙｐｅ０、Ｔｙｐｅ１、ＬＶＲＢ、ＤＶＲＢの少なくとも１つを含み、
前記等価処理のプロセスは、
前記リソースブロックの割り当てタイプが、Ｔｙｐｅ０又はＴｙｐｅ１である場合、リソースブロックグループの粒度の方式に従って、等価処理を行うことと、
前記リソースブロックの割り当てタイプが、ＬＶＲＢ又はＤＶＲＢである場合、単一のリソースブロックを最小粒度とする方式に従って、等価処理を行うこととを含む。
【００１０】
前記周波数選択リソース割り当てのプロセスは、
前記受信パワーの大きさに従って、前記測定情報を順位付けし、順位付けする結果における最大順位の測定情報に対応する周波数領域位置を優先的に前記ユーザ装置に割り当てることを含む。
【００１１】
周波数選択スケジューリング装置は、
予め設定される時間及び予め設定される粒度に応じて、基地局側でのサウンディング基準信号又はデジタル変調基準信号の受信パワーを測定し、測定情報を取得することに用いられる測定モジュールと、
前記測定モジュールによって取得された測定情報が使用可能であるかどうかを判定することに用いられる判定モジュールと、
前記判定モジュールの判定結果が使用可能である場合、ユーザ装置をスケジューリングするためのリソースブロックの割り当てタイプに応じて、前記測定情報に対して、等価処理を行うことに用いられる等価処理モジュールと、
前記等価処理モジュールによって等価処理を完了させる前記測定情報を用いて、前記ユーザ装置に対して、周波数選択リソース割り当てを行うことに用いられる周波数選択リソース割り当て応用モジュールとを含む。
【００１２】
当該装置は、
前記測定モジュールと前記判定モジュールとそれぞれ接続し、前記測定モジュールによって測定されて取得された測定情報に対して、正規化処理を行い、そして前記判定モジュールが正規化処理された測定情報をスケジュールすることに供することに用いられる正規化処理モジュールを更に含む。
【００１３】
前記測定情報には、周波数領域の開始位置及び情報取得時間が含まれる。
前記判定モジュールは、
前記情報取得時間に応じて、前記測定情報が適時性規定に合致するかどうかを判定することに用いられる第１の判定モジュールと、
前記第１の判定モジュールの判定結果が「はい」である場合、前記測定情報に対応する帯域幅が前記ユーザ装置に割り当てられて得られた実際のリソース数の予め設定される割合以上であるかどうかを判定し続けることに用いられる第２の判定モジュールとを含む。
【００１４】
前記ユーザ装置のリソースブロックの割り当てタイプは、選択可能であり、前記リソースブロックの割り当てタイプは、Ｔｙｐｅ０、Ｔｙｐｅ１、ＬＶＲＢ、ＤＶＲＢの少なくとも１つを含み、
前記等価処理モジュールは、
前記リソースブロックの割り当てタイプがＴｙｐｅ０又はＴｙｐｅ１である場合、リソースブロックグループの粒度の方式に従って、等価処理を行うことに用いられる第１の等価処理モジュールと、
前記リソースブロックの割り当てタイプがＬＶＲＢ又はＤＶＲＢである場合、単一のリソースブロックを最小粒度とする方式に従って、等価処理を行うことに用いられる第２の等価処理モジュールとを含む。
【００１５】
前記周波数選択リソース割り当て応用モジュールは、
前記受信パワーの大きさに従って、前記測定情報を順位付けすることに用いられる順位付けモジュールと、
前記順位付けモジュールの順位付けする結果における最大順位の測定情報に対応する周波数領域位置を優先的に前記ユーザ装置に割り当てることに用いられる割り当てモジュールとを含む。
【００１６】
本発明によって提供される技術方案と従来技術との違いは、本発明によれば、ｅＮｏｄｅＢ側においてアップリンク測定によって取得されたサウンディング基準信号又はデジタル変調基準信号が受信した信号パワーが、異なる周波数領域位置間にあるチャネルの相対関係を利用することで、現在時刻のダウンリンクチャネルの異なる周波数領域位置にあるチャネルの相対関係を推定し、これによって、非周波数選択スケジューリングに周波数選択スケジューリング情報を提供し、受信側での送信データの復調精度を大幅に向上させ、システム性能を効果的に向上させることにある。
【図面の簡単な説明】
【００１７】
【図１】本発明の実施形態に係る周波数選択スケジューリング方法のフローチャートである。
【図２】本発明の実施形態に係るＳＲＳとＣＱＩとの測定及び報告のタイムシーケンスを示す図である。
【図３】本発明の実施形態に係る周波数選択スケジューリング装置のブロック図である。
【図４】本発明の実施形態に係る周波数選択スケジューリング装置の好ましい構成のブロック図である。
【発明を実施するための形態】
【００１８】
本発明は、主にＬＴＥ  ＴＤＤに用いられる周波数選択スケジューリング方法を提供し、ＴＤＤアップリンク／ダウンリンクチャネルの互恵性に応じて、アップリンク測定によって取得されたｅＮｏｄｅＢ側でのＳＲＳ又はデジタル変調基準信号（Ｄｉｇｉｔａｌ  Ｍｏｄｕｌａｔｉｏｎ  Ｒｅｆｅｒｅｎｃｅ  Ｓｉｇｎａｌ：ＤＭＲＳ）の受信信号パワーが、異なる周波数領域位置間にあるチャネルの相対関係を利用することで、現在時刻のダウンリンクチャネルの異なる周波数領域位置にあるチャネルの相対関係を推定し、これによって、非周波数選択スケジューリングに周波数選択スケジューリング情報を提供する。好ましくは、本発明の技術方案は、一定の時間閾値内で、より大きい帯域幅のＳＲＳ受信パワー情報を取得できる場面に適用する。
【００１９】
本発明の目的、技術方案及び利点を更に明らかにするために、図面及び具体的な実施形態を参照して本発明を更に詳しく説明する。
【００２０】
本発明の実施形態に係る周波数選択スケジューリング方法を提供する。
【００２１】
図１は、本発明の実施形態に係る周波数選択スケジューリング方法のフローチャートである。図１に示すように、当該方法は、
【００２２】
予め設定される時間及び予め設定される粒度に応じて、基地局側でのサウンディング基準信号（ＳＲＳ）又はデジタル変調基準信号（ＤＭＲＳ）の受信パワーを測定し、測定情報を取得するステップ１０２と、
【００２３】
測定情報が使用可能であるかどうかを判定し、且つ判定結果が「はい」である場合、ＵＥをスケジューリングする選択可能のリソースブロック（ＲＢ）の割り当てタイプに応じて、測定情報に対して、等価処理を行い、そして等価処理された測定情報を用いてＵＥに対して、周波数選択リソース割り当てを行うステップ１０４とを含む。
【００２４】
以下、上記処理を詳しく説明する。
一、ステップ１０２
アップリンクチャネル推定が、ＳＲＳ又はＤＭＲＳにより取得されることができるが、ＤＭＲＳ及びアップリンクデータが、同時に伝送され、データに対応するチャネルだけが推定されることができ、これによって、一般的に、ＳＲＳを採用して、チャネルの推定及びアップリンク信号パワーの推定を行う。
【００２５】
基地局側でのＳＲＳの信号パワーＰ'＿ＳＲＳは、測定され、ＳＲＳが測定情報を報告する粒度はＮであり、Ｎは、最小で４ＲＢであり、ＲＢは、周波数領域伝送データの最小ユニットであり、Ｎ個のＲＢごとに、１つのグループの測定情報がＰ'＿ＳＲＳ（ｆ，ｔ）として記録され、ここで、ｆは、当該パラメータに対応する周波数領域の開始位置を表し、ｔは、情報取得時間を表す。
【００２６】
なお、ステップＳ１０４の前に、測定情報に対して、正規化処理を行う必要がある。数式（１）によって、ＳＲＳ受信パワーに対して、正規化処理を行う。
【００２７】
【数１】
2013513977.tif 000003
【００２８】
ここで、Ｐｒ（ｆ，ｔ）は、当該周波数帯の受信パワーを表し、Ｐｔ（ｆ，ｔ）は、当該周波数帯の送信パワーを表す。
【００２９】
二、ステップＳ１０４
ステップＳ１０４において、測定情報が使用可能であるかどうかを判定することは、以下の２つの側面を含む。
【００３０】
１、情報取得時間に応じて、測定情報が適時性規定に合致するかどうかを判定し、数式（２）によって、情報適時性の判定が行われ、
【００３１】
【数２】
2013513977.tif 000004
【００３２】
ここで、Ｔｃｕｒｒｅｎｔは、現在のサブフレームであり、Ｔｇａｐは、情報適時性判定の時間閾値であり、Ｔｇａｐは、一般的に、帯域幅ＣＱＩ期間より小さい、数式（２）に合致する測定情報Ｐ＿ＳＲＳ（ｆ，ｔ）が取得され、Ｐ＿ＳＲＳ（ｆ，ｔ）に対応するＮ個のＲＢ情報は、すべてＰ＿ＳＲＳ（ｆ，ｔ）で表され、Ｐ＿ＳＲＳ（ｆ'，ｔ）としてマークされ、f'の粒度は、単一のＲＢである。
【００３３】
２、測定情報が適時性規定に合致する場合、測定情報に対応する帯域幅が、ユーザ装置に割り当てられた実際リソース数の予め設定される割合以上であるかどうかを判定し続け、即ち、測定情報に対応する帯域幅とＲＢ＿ａｌｌｏｃａｔｅｄ×ηとを比較し、測定情報に対応する帯域幅が、ＲＢ＿ａｌｌｏｃａｔｅｄ×η以上である場合、当該測定情報が周波数選択スケジューリングに使用可能であり、ＲＢ＿ａｌｌｏｃａｔｅｄ×η以上ではない場合、当該情報が使用可能ではない、ここで、ＲＢ＿ａｌｌｏｃａｔｅｄが、ＵＥに割り当てられたリソース数を表し、ηが、割当係数であり、η＞１である。
【００３４】
次に、ＵＥをスケジューリングするための選択可能のＲＢ割り当てタイプに応じて、測定情報に対して、等価処理を行う。
【００３５】
当該ＵＥの選択可能のＲＢ割り当てタイプが、Ｔｙｐｅ０、Ｔｙｐｅ１、集中型仮想ＲＢ（ＬＶＲＢ）、分散型仮想ＲＢ（ＤＶＲＢ）などのタイプを含むが、これらに制限されない、測定情報及び測定情報をマッチングする情報Ｐ＿ＳＲＳ（ｆ'',ｔ）に対して、等価処理を行い、ｆ''が、ＲＢの割り当てタイプをマッチングする周波数領域位置の開始点である。
【００３６】
ＵＥが、ＲＢ割り当てタイプＴｙｐｅ０とＴｙｐｅ１との間に選択する場合、ＲＢグループ即ちＲＢＧの粒度に従って、情報に対して、等価を行うことを勧めるが、当該ＵＥが、ＲＢ割り当てタイプＬＶＲＢとＤＶＲＢとの間に選択する場合、当該情報の最小粒度が単一のＲＢであってよい。ここで、情報等価処理方法に対して、加重平均、最大比合成などの従来技術における複数のより成熟した方法が、採用されてよい、１つの例が、以下に説明されるが、当該方法に制限されない。
【００３７】
【数３】
2013513977.tif 000005
【００３８】
ここで、ｉは、各ＲＢＧグループにおける対応するＲＢを表し、ｆ'（ｉ）は、ｉ番目のＲＢに対応するシステム帯域幅の周波数領域位置を表し、Ｎは、ＲＢＧに含まれるＲＢの数を表す。
【００３９】
最後、Ｐ＿ＳＲＳ（ｆ'',ｔ）情報に応じて、順位付けし、高いＰ＿ＳＲＳ（ｆ'',ｔ）に対応する周波数領域位置は、優先的に当該ＵＥに割り当てられる。
【００４０】
以下、それぞれ、ＵＥの選択可能のＲＢ割り当てタイプに応じて、図面２を参照して本発明の実施形態を更に詳しく説明する。図２は、本発明の実施形態に係るＳＲＳとＣＱＩとの測定及び報告のタイムシーケンスを示す図である。
【００４１】
実施形態１
説明の便利のために、例えば、ＤＬシステム帯域幅は、１０ＭＨｚであり、ＲＢの数は、５０であり、帯域幅ＣＱＩ報告期間は、１０ｍｓである。アップリンク／ダウンリンクの割合は、１であり、例えば、セルにおけるあるＵＥ  ＳＲＳ報告帯域幅は、４８ＲＢに設定され、ＵＥ  ＳＲＳ帯域幅も、４８ＲＢであり、報告期間は、５ｍｓであり、ＣＱＩのサブフレームオフセットは、０であり、ＳＲＳのサブフレームオフセットは、２である。ＵＥのＲＢ割り当てタイプは、ＬＶＲＢであり、ＳＲＳの測定粒度は、４ＲＢである。Ｔｇａｐ＝６ｍｓと設定される。本発明の実施形態１に係る周波数選択スケジューリング方法は、以下のステップを含む。
【００４２】
１）ＤＳＵＵＤＤＳＵＵＤの１番目のＵで、ＳＲＳの受信信号パワー（粒度が４ＲＢである）は、測定される。このアップリンクサブフレームは、Ｎに設定され、Ｎ＋２の時に、当該ＳＲＳ情報は、スケジューリングに用いられてよい。４８ＲＢに対応する信号受信パワーＰ＿ＳＲＳ（ｆ，ｔ）を測定して取得して、ここで、各ｆは、４つのＲＢの周波数領域の開始位置に対応する。
【００４３】
２）システム帯域幅の両側でＳＲＳ送信がないＲＢに対して、前記ＲＢと隣接するＲＢのＰ＿ＳＲＳ（ｆ，ｔ）値を利用して置き換えられる。この時に全帯域幅のＰ'＿ＳＲＳ（ｆ，ｔ）は、既に取得された。各ＲＢの送信パワーは、ｐ（ｔ）であり、これによって、正規化パワーは、Ｐ＿ＳＲＳ（ｆ，ｔ）＝Ｐ'＿ＳＲＳ（ｆ，ｔ）／Ｐ（ｔ）である。
【００４４】
３）Ｎ＋２及び後の新たなＳＲＳの測定値が、まだ生成される前に、Ｐ＿ＳＲＳ（ｆ，ｔ）情報は、スケジューリングモジュールを協力して周波数選択スケジューリングを行う。
【００４５】
４）現在の時刻が、Ｎ＋２である場合、この時にＰ＿ＳＲＳ（ｆ，ｔ）情報を利用して周波数選択リソース割り当てを行うことができる。
【００４６】
５）現在ＵＥのＲＢ割り当てタイプが、ＬＶＲＢである場合、各グループのＰ'＿ＳＲＳ（ｆ，ｔ）情報に対応する４ＲＢは、すべてＰ＿ＳＲＳ（ｆ'，ｔ）＝Ｐ'＿ＳＲＳ（ｆ，ｔ）／Ｐ（ｔ）に置き換えられ、ここで、ｆ'の単位は、ＲＢであり、ここで、Ｐ（ｔ）は、ＳＲＳの送信パワーを表す。
【００４７】
６）現在割り当てられたＲＢ数が、ＲＢ＿ａｌｌｏｃａｔｅｄ＝１６ＲＢである場合、この時に有効なＰ'＿ＳＲＳ（ｆ，ｔ）に対応する帯域幅は、４８ＲＢであり、当該値は、ＲＢ＿ａｌｌｏｃａｔｅｄ×η（η＝２）以上であり、この時、周波数選択スケジューリング情報を用いてＲＢ割り当てリソース位置を選択することができる。
【００４８】
７）Ｐ＿ＳＲＳ（ｆ'，ｔ）の大きさに従って、順位付けする。
【００４９】
８）Ｐ＿ＳＲＳ（ｆ'，ｔ）値が最も高い且つ占有されていないＲＢに対応する位置は、リソース割り当て位置の優先基準とされ、ＬＶＲＢは、連続するリソースを要求するため、Ｐ＿ＳＲＳ（ｆ'，ｔ）値が最も高い且つ占有されていないＲＢは、ＲＢ位置割り当ての最適点だけとされる。
【００５０】
実施形態２
上記実施形態によれば、例えば、ＤＬシステム帯域幅は、１０ＭＨｚであり、ＲＢの数は、５０であり、帯域幅ＣＱＩ報告期間は、１０ｍｓであり、アップリンク／ダウンリンクの割合は、１であり、例えば、セルにおけるあるＵＥ  ＳＲＳ報告帯域幅は、４８ＲＢに設定され、ＵＥ  ＳＲＳ帯域幅も、４８ＲＢであり、報告期間は、５ｍｓであり、ＣＱＩのサブフレームオフセットは、０であり、ＳＲＳのサブフレームオフセットは、２である。ＵＥのＲＢ割り当てタイプは、Ｔｙｐｅ０であり、ＳＲＳの測定粒度は、４ＲＢである。Ｔｇａｐ＝６ｍｓと設定される。本発明の実施形態２に係る周波数選択スケジューリング方法は、以下のステップを含む。
【００５１】
１）ＤＳＵＵＤＤＳＵＵＤの１番目のＵで、ＳＲＳの受信信号パワー（粒度が４ＲＢである）は、測定される。このアップリンクサブフレームは、Ｎに設定され、Ｎ＋２の時に当該ＳＲＳ情報は、スケジューリングに用いられてよい。４８ＲＢに対応する信号受信パワーＰ＿ＳＲＳ（ｆ，ｔ）は、測定され、ここで、各ｆは、４つのＲＢの周波数領域の開始位置に対応する。
【００５２】
２）システム帯域幅の両側でＳＲＳ送信がないＲＢに対して、前記ＲＢと隣接するＲＢのＰ＿ＳＲＳ（ｆ，ｔ）値を利用して置き換えられる。この時に全帯域幅のＰ'＿ＳＲＳ（ｆ，ｔ）は、既に取得された。各ＲＢの送信パワーは、Ｐ（ｔ）であり、これによって、正規化パワーは、Ｐ＿ＳＲＳ（ｆ，ｔ）＝Ｐ'＿ＳＲＳ（ｆ，ｔ）／Ｐ（ｔ）である。
【００５３】
３）Ｎ＋２及び後の新たなＳＲＳの測定値が、まだ生成される前に、Ｐ＿ＳＲＳ（ｆ，ｔ）情報は、スケジューリングモジュールを協力して周波数選択スケジューリングを行う。
【００５４】
４）現在時刻が、Ｎ＋２である場合、この時にＰ＿ＳＲＳ（ｆ，ｔ）情報を用いて周波数選択リソース割り当てを行うことができる。
【００５５】
５）現在ＵＥのＲＢ割り当てタイプが、Ｔｙｐｅ０である場合、各グループのＰ'＿ＳＲＳ（ｆ，ｔ）情報に対応する４ＲＢは、すべてＰ＿ＳＲＳ（ｆ'，ｔ）＝Ｐ'＿ＳＲＳ（ｆ，ｔ）／Ｐ（ｔ）に置き換えられ、ここで、ｆ'の単位は、ＲＢである。この時、ＲＢ割り当てタイプＲｙｐｅ０のＲＢＧグループに対応する粒度が３であるＰ'＿ＳＲＳ（ｆ'，ｔ）は、等価される。
【００５６】
６）現在割り当てられたＲＢ数が、ＲＢ＿ａｌｌｏｃａｔｅｄ＝１５ＲＢである場合、この時に有効なＰ'＿ＳＲＳ（ｆ，ｔ）に対応する帯域幅は、４８ＲＢであり、当該値は、ＲＢ＿ａｌｌｏｃａｔｅｄ×η（η＝２）以上であり、この時、周波数選択スケジューリング情報を用いてＲＢ割り当てリソース位置を選択することができる。
【００５７】
７）Ｐ＿ＳＲＳ（ｆ'，ｔ）の大きさに応じて、順位付けする。
【００５８】
８）Ｔｙｐｅ０を採用するため、これによって、ＲＢの位置が分散であってよい、Ｐ＿ＳＲＳ（ｆ'，ｔ）の値が最も高い且つ占有されていないＲＢに対応する位置は、要求を満たすまでに、すべて当該ＵＥに割り当てられてよい。
【００５９】
本発明の実施形態に係る周波数選択的スケジューリング装置を更に提供する。
【００６０】
図３は、本発明の実施形態に係る周波数選択的スケジューリング装置のブロック図である。図３に示すように、当該装置は、測定モジュール１０、判定モジュール２０、等価処理モジュール３０、及び周波数選択リソース割り当て応用モジュール４０を含む。
【００６１】
測定モジュール１０は、予め設定される時間及び予め設定される粒度に応じて、基地局側でのサウンディング基準信号又はデジタル変調基準信号の受信パワーを測定し、測定情報を取得することに用いられ、ここで、当該測定情報には、周波数領域の開始位置及び情報取得時間が含まれるが、これらに制限されない。
【００６２】
判定モジュール２０は、測定モジュール１０と接続し、測定モジュール１０によって取得された測定情報が使用可能であるかどうかを判定することに用いられ、判定モジュール２０は、情報取得時間に応じて、測定情報が適時性規定に合致するかどうかを判定することに用いられる第１の判定モジュールと、第１の判定モジュールの判定結果が「はい」である場合、測定情報に対応する帯域幅が、ユーザ装置に割り当てられた実際リソース数の予め設定される割合以上であるかどうかを判定し続けることに用いられる第２の判定モジュールとを更に含んでよい。
【００６３】
等価処理モジュール３０は、判定モジュール２０と接続し、判定モジュール２０の判定結果が使用可能である場合、ユーザ装置をスケジューリングするための選択可能なリソースブロックの割り当てタイプに応じて、測定情報に対して、等価処理を行うことに用いられる。具体的な応用において、ユーザ装置の選択可能なリソースブロックの割り当てタイプは、Ｔｙｐｅ０、Ｔｙｐｅ１、ＬＶＲＢ、ＤＶＲＢの少なくとも１つを含み、等価処理モジュール３０は、ユーザ装置の選択可能なリソースブロックの割り当てタイプが、Ｔｙｐｅ０又はＴｙｐｅ１である場合、リソースブロックグループの粒度の方式に従って、等価処理を行うことに用いられる第１の等価処理モジュールと、ユーザ装置の選択可能なリソースブロックの割り当てタイプが、ＬＶＲＢ又はＤＶＲＢである場合、単一のリソースブロックを最小粒度とする方式に従って、等価処理を行うことに用いられる第２の等価処理モジュールとを更に含んでよい。
【００６４】
周波数選択リソース割り当て応用モジュール４０は、等価処理モジュール３０と接続し、等価処理モジュール３０によって等価処理された測定情報を用いてユーザ装置に対して、周波数選択リソース割り当てを行うことに用いられる。周波数選択リソース割り当て応用モジュール４０は、受信パワーの大きさに従って、測定情報を順位付けすることに用いられる順位付けモジュールと、順位付けモジュールの順位付けする結果における最大順位の測定情報に対応する周波数領域位置を優先的にユーザ装置に割り当てることに用いられる割り当てモジュールとを更に含んでよい。
【００６５】
図４は、本発明の実施形態に係る周波数選択スケジューリング装置の好ましい構成のブロック図である。図４に示すように、図３に示す構成に基づいて、当該装置は、測定モジュール１０と判定モジュール２０とそれぞれ接続し、測定モジュール１０によって測定されて取得された測定情報に対して、正規化処理を行い、そして判定モジュール２０が正規化処理された測定情報をスケジュールすることに供することに用いられる正規化処理モジュール５０を更に含む。
【００６６】
上記のように、本発明の上記技術方案によれば、アップリンク測定によって取得されたｅＮｏｄｅＢ側でのＳＲＳ又はＤＭＲＳの受信信号パワーが、異なる周波数領域位置間にあるチャネルの相対関係を利用することで、現在時刻のダウンリンクチャネルの異なる周波数領域位置のチャネルの相対関係を推定し、これによって、非周波数選択スケジューリングに周波数選択スケジューリング情報を提供し、受信側での送信データの伝送精度を向上させ、システムのスループットレートを向上させ、システム性能を効果的に向上させる。
【００６７】
上記のものは本発明の好適な実施形態に過ぎず、本発明はこれに限定されず、種々の変更形態及び変形形態が当業者によって可能である。また、特許請求の範囲に規定される本発明の精神及び範囲に逸脱しない限り、あらゆる変更、均等な置換、及び改良が可能であることを理解されたい。
【図１】
2013513977.tif 000006
【図２】
2013513977.tif 000007
【図３】
2013513977.tif 000008
【図４】
2013513977.tif 000009
【国際調査報告】
2013513977.tif 000010
2013513977.tif 000011
2013513977.tif 000012
2013513977.tif 000013